(57)【特許請求の範囲】
【請求項１】
少なくとも対物レンズと撮像部とを用いて人物の目の画像を撮影する目画像撮像装置であって、
前記目の画像を撮影する撮影光学系の光軸と同心に設けられた目印部と、
可視光源からの可視光を、撮影光路の途中から前記対物レンズ側に誘導する導光部と、
前記対物レンズの前面に配置された前記光軸と同心に可視光透過部を有する誘導ミラーとを有し、
前記導光部は、前記目印部より前記撮像部側に位置し、前記導光部の中心が前記光軸と一致しており、前記導光部と前記目印部とが前記人物に見えるようになっている目画像撮像装置。
【請求項２】
請求項１記載の目画像撮像装置であって、
さらに、前記対物レンズ下方部に配置された投受光式距離センサを含み、
前記投受光式距離センサの出力は、撮影位置の光軸方向の誘導に利用される目画像撮像装置。
【請求項３】
請求項２記載の目画像撮像装置であって、
前記投受光式距離センサの投光部と受光部は、鉛直方向に配置される目画像撮像装置。
【請求項４】
請求項１ないし３のいずれか１項記載の目画像撮像装置であって、
前記導光部は、前記対物レンズと前記撮像部の中間点よりも前記撮像部に近い位置に配置される目画像撮像装置。
【請求項５】
請求項１ないし４のいずれか１項記載の目画像撮像装置であって、
前記目印部が前記撮影光路の一部を遮光する遮光部である目画像撮像装置。
【請求項６】
請求項５記載の目画像撮像装置であって、
前記遮光部は、前記対物レンズの周辺部に環状に設けられる目画像撮像装置。
【請求項７】
請求項６記載の目画像撮像装置であって、
前記遮光部は、前記対物レンズのレンズ押さえによって形成される目画像撮像装置。
【請求項８】
請求項６記載の目画像撮像装置であって、
前記遮光部は、前記誘導ミラーの前記可視光透過部によって形成される目画像撮像装置。
【請求項９】
請求項１ないし８のいずれか１項記載の目画像撮像装置であって、
前記撮影光学系は、前記対物レンズと前記撮像部との間に光路屈曲ミラーを含み、
前記導光部は、前記光路屈曲ミラーの前記光軸周辺に形成した可視光透過可能部を含む目画像撮像装置。
【請求項１０】
請求項９記載の目画像撮像装置であって、
前記導光部が誘導する可視光は、前記可視光透過可能部の後ろに配置された２色ＬＥＤから得られ、焦点が合っている場合と合っていない場合とで色が変化するものである目画像撮像装置。
【請求項１１】
請求項１０記載の目画像撮像装置であって、
前記可視光は、さらに焦点が合っていない場合のずれ方向に応じて色が変化するものである目画像撮像装置。
【請求項１２】
請求項１ないし１１のいずれか１項記載の目画像撮像装置であって、
さらに、赤外光による照明手段と、可視光遮断フィルタを有し、
前記照明手段は、被写体を照明し、
前記可視光遮断フィルタは、前記可視光の誘導位置と前記撮像部との間に配置され、前記撮像部に導入される可視光を遮断するものである目画像撮像装置。
【請求項１３】
請求項１ないし１２のいずれか１項記載の目画像撮像装置を利用する入退室管理システム。
【発明の詳細な説明】
【０００１】
【発明の属する技術分野】
本発明は、人間の目の画像を取得する目画像撮像装置、及び目画像撮像装置を利用した入退室管理システムに関する。
【０００２】
【従来の技術】
入退室管理やＡＴＭ（自動取引装置）や計算機、携帯電話等の利用者の個人認証のために虹彩画像が利用されている。人間の虹彩パターンは幼年期に完成されるものであり、個人毎にまた同一人であっても右目と左目で異なっているため、虹彩パターンデータは、個人識別能力が特に優れたデータとなる。
【０００３】
虹彩パターンを取得するための目画像撮像装置としては、広視野のカメラで目の位置を特定し、望遠カメラの視野を移動させて目画像を撮像するものが知られている（例えば、特開平１０−１３７２２５号公報）。しかし、このような装置は、構成が大規模になり、適用対象が限定される。特に携帯電話等の携帯機器への適用は事実上不可能である。
【０００４】
また、図３に示すような、対物レンズ１とＣＣＤ等の撮像素子２を有する撮像装置の対物レンズ１の前面に、ハーフミラー又はコールドミラー２１を配置したものも知られている。コールドミラーは、可視光を反射し赤外光を透過するミラーであって、赤外光の照明によって撮影する場合に利用できる。図３の装置は、撮影光学系の光軸５上に自分の目があるときは、ミラーの特定位置に目が写ることから正確に目の画像を撮像することができる。しかし、レンズ１の大きさに比べて大きなミラー２１が必要であり、携帯機器への適用は困難である。また、図の位置のようにミラー２１に自分の目が写らないとき、どちら側に動いてよいのか解りにくいという問題があった。さらに、利目とミラー２１に写っている目が異なる場合には、正確に位置合わせができないという問題があった。
【０００５】
また、虹彩パターンを取得するための目画像撮像装置の望遠カメラの視野に、第１のエッジ手段及び第２のエッジ手段を設けて、使用者が自己目合わせを可能としたものも提案されている（例えば、特表平１０−５０５１８０号公報参照）。しかし、上記第１のエッジ手段及び第２のエッジ手段はともに、望遠カメラのレンズの前方に配置されるため、装置構成が大きくなり、携帯電話機等の携帯機器への適用は困難である。
【０００６】
発明者らは、上記従来技術の問題点を解決し、携帯機器にも搭載できるような簡単な構成で、目画像を的確に短時間で撮影できる目画像撮像装置を先に提案した（特願２００１−２０９５５０）。
【０００７】
図４は、既提案の目撮像装置の基本構成を示したものであり、対物レンズ１、撮像部を構成するＣＣＤ等の撮像素子２、目印部としての遮光部３、導光部４を含む。遮光部３は、撮影光路の一部を遮光するものであって、撮影光学系の光軸５と同心に設けられる。遮光部３は、レンズ上に設けるのが好ましく、また、その形状は円とするのが好ましい。導光部４は、図示しない可視光源からの可視光を、撮影光路の途中から対物レンズ１側に誘導するものであり、可視光の誘導位置は、遮光部３より撮像素子側である。誘導された可視光６の断面は、遮光部３と相似の形状で、その中心は光軸５と一致させる。また、可視光６の断面と遮光部３の、撮影光学系の有効光路断面に対する面積比率は、ほぼ同じか又は前記可視光６の面積比率が若干大きく設定される。
【０００８】
図４の装置において、目が光軸５上にあると、遮光部３と誘導された可視光６は、その面積がほぼ一致しているので、図５（ａ）に示す金環日食のように見える。そして、そのときの撮像素子２による撮影画像は、図５（ｂ）のように目が中央位置になるので、この状態で撮影画像を取り込めば、虹彩パターンを精度良く認識することができる。
【０００９】
それに対して、目の位置が光軸５とずれていると、図５（ｃ）に示す部分日食のように見え、そのときの撮像素子２による撮影画像は、図５（ｄ）のようになる。このような状態では、良好な虹彩パターンが得られないので、目の位置を移動させる必要があるが、図５（ｃ）によって移動させるべき方向が簡単に認識できる。
【００１０】
また、導光部４は、図６に示すように対物レンズ１と撮像素子２の中間点ａよりも撮像素子２に近い位置に配置される。導光部４を対物レンズ１に近い側（例えばｂの位置）に配置すると、撮影すべき目（図では右目Ｒ）の中心と遮光部３と導光部４が一直線上に乗ったときに、もう片方の目（図では左目Ｌ）から導光部４が見えてしまい、目の位置を合わせ難い。これに対して、導光部４を撮像素子２に近つけると、左目Ｌからは見えなくなるので、目の位置を合わせ易くなる。特に、片目だけをつぶること（ウィンク）ができない人は、目の位置を合わせ易い。
【００１１】
図４及び図５における遮光部３は、撮影光学系の光軸上に設けられるが、レンズ１の周辺部に環状に設けてもよい。すなわち、レンズ１の周辺部を環状に遮光してもよい。図７は、レンズ上に設けられたレンズ押さえ１３によって環状の遮光部を形成した例である。図７の装置において、目が光軸上にあると、図８（ａ）に示すようにレンズ押さえ１３の開口と誘導可視光６は同心状に見え、そのときの撮像素子２による撮影画像は、図８（ｂ）のように目が中央位置になる。それに対して、目の位置が光軸とずれていると図８（ｃ）のように誘導可視光６が欠けて見え、そのときの撮像素子２による撮影画像は、図８（ｄ）のようになる。図８（ａ）及び図８（ｃ）において、１８は、レンズ押さえ１３の開口である。このように遮光部を環状とすると、レンズ押さえ１３の寸法の変更により製造でき、光軸上に設けるのに比べて、安価に製造できる。
【００１２】
図９は、既提案の目画像撮像装置の具体例の概略構成を示す図である。対物レンズ１は、鏡筒８の一端にレンズ押さえ１３によって取り付けられ、鏡筒８の他端には、撮像素子であるＣＣＤ２を有する撮像部７が設けられる。撮像部７の具体的構造は、採用する機器の構造等に応じて適宜変更できるので、詳細は省略する。対物レンズ１の鏡筒８内部側表面の中央部には、円形形状の遮光部３が、その中心を光軸５と一致させた状態で設けられる。遮光部３は、黒色シールを対物レンズ１に接着させて形成することができる。また、黒色の塗料を塗布することによって形成してもよい。
【００１３】
遮光部３を白色又は黄色シール、もしくは白色又は黄色塗料とすることにより、さらに遮光部３の位置を解り易くできる。対物レンズ１は奥が暗くて、黒く見えるので、遮光部３が暗いと遮光部３の位置が解り難いが、白っぽい色であれば確認し易くなるためである。
【００１４】
鏡筒８内部には、光ファイバ９が鏡筒８側面から差込んだ状態で配置され、光ファイバ９の鏡筒８外部側端部には、可視光源を構成するＬＥＤ１０が光ファイバ９端面に対向して設けられる。ＬＥＤ１０が発光する可視光は何色でもよいが、人間の識別能力等を考慮すると緑色光が好適である。光ファイバ９の他端は、端面１１が光軸５に垂直になるように対物レンズ１側に曲げられ、かつその中心は光軸５に一致させる。したがって、ＬＥＤ１０からの可視光は、端面１１を経て対物レンズ１側への誘導可視光６となる。なお、光ファイバ９の側面は、撮像素子２に対する影響を減少させるため、黒色に塗装される。
【００１５】
光ファイバ９の端面１１と遮光部３の、撮影光学系の有効光路断面に対する面積比率は、ほぼ同じか又は端面１１の面積比率が若干大きくなるように設定される。このように設定すると、鏡筒８外部の光軸５上で遮光部３及び誘導可視光６を見たとき、図５（ａ）に示す金環日食のようになる。また、遮光部３の撮影光学系の有効光路断面に対する面積比率は、大きいほど認識能力は高まるが、逆に撮影画像の明るさが減少するので、５パーセント程度とするのが好ましい。
【００１６】
なお、虹彩の撮影には赤外光が適しているので、鏡筒８の対物レンズ１側周辺に赤外光発生部（図示せず）を設け、赤外画像を撮影するのが好ましい。この場合、ＣＣＤ２に対する可視光の影響をなくするため、撮像部７の手前に可視光遮断フィルタ１２を設けると、さらに高精度の画像を取得することができる。
【００１７】
遮光部を環状とする場合は、レンズ押さえ１３の寸法を変更するとともに、シールの接着及び塗料の塗装は行わない。
【００１８】
図１０は、既提案の目画像撮像装置の他の具体例の概略構成を示す図である。図９の構成要素と同じものは、同じ番号で示し、説明を省略する。図９の撮影光学系と異なる点は、鏡筒１７がほぼ直角に曲げられており、鏡筒１７の屈曲部に撮影光路を屈曲するための光路屈曲ミラー１４が設けられる点である。光路屈曲ミラー１４の対物レンズ１側表面は、光軸５の周辺を除いてアルミニウム蒸着による反射膜１５が設けられる。
【００１９】
光路屈曲ミラー１４の対物レンズ１と反対側の鏡筒側面には、光軸５の延長線上にＬＥＤ１５が設けられ、光路屈曲ミラー１４の透過部１６に向けて可視光が誘導可視光６として導入される。透過部１６は、光軸５に対する垂直断面が円形となるような形状に形成され、可視光の導光部４として機能する。ＬＥＤ１０からの可視光を透過部１６に効率的に導入するため、間に光ファイバを設けてもよい。
【００２０】
透過部１６の光軸５に対する垂直断面と遮光部３の、撮影光学系の有効光路断面に対する面積比率は、ほぼ同じか又は垂直断面の面積比率が若干大きくなるように設定される。このように設定すると、鏡筒８外部の光軸５上で遮光部３及び誘導可視光６を見たとき、図５（ａ）に示す金環日食のようになる。また、遮光部３の撮影光学系の有効光路断面に対する面積比率は、５パーセント程度とするのが好ましい。
【００２１】
透過部１６と遮光部３と目中心が一直線上に乗ると撮影画像の中央に目が撮影できるが、焦点が合っているかどうかはモニタ画面を見る必要がある。焦点が合っている場合と合っていない場合で透過部１６の色が変わればモニタ画面を見なくても、焦点を合わせることができる。そのため、透過部１６の後部に、２色ＬＥＤを配置し、焦点が合っているときと合っていないときで色を変えると、モニタ画像を見なくても焦点を合わせることができる。
【００２２】
図１１は、既提案の目画像撮像装置のさらに別の具体例の概略構成を示す図である。図９及び図１０の構成要素と同じものは、同じ番号で示し、説明を省略する。図１１の装置は、図１０の装置と同様、鏡筒１７がほぼ直角に曲げられており、鏡筒１７の屈曲部に撮影光路を屈曲するための光路屈曲ミラー１４が設けられるている。図１０の装置と異なる点は、遮光部を環状とするために、レンズ押さえ１３の開口部寸法を、図１０の装置に比べて小さくするとともに、シールの接着及び塗料の塗装は行わない点である。
【００２３】
以上説明したように、既提案の目画像撮像装置によれば、対物レンズをのぞいたとき見える目印部と誘導可視光との位置関係により、目の移動方向を正確に把握でき、携帯機器等に組み込めるように撮像装置を小型化しても、精度良く虹彩画像を取得することができる。また、目印部と導光部をレンズ上又はレンズ後方に設けているため、目の位置合わせのための要素を付加しても装置構成が大きくならない。そして、例えばパソコンのログイン時に、同じ人が毎日繰り返し使用する場合のように、慣れると使い易いものである。
【００２４】
しかし、入退室管理システムに適用する場合のように、多数の人が必ずしも高頻度ではなく、しかも立った状態で使用する場合、次のような問題がある。１つは、図８（ａ）のように、誘導可視光６がレンズ押さえ１３の開口１８の中に見えていれば、開口１８の中央に誘導することが簡単であるが、利用する人の目の高さが異なる場合、目をどちらに動かすべきか判断し難い点である。また、別の問題点は、撮影時のピント合わせである。図１０及び図１１に示す装置のように、ピントが合っている場合と合っていない場合で透過部１６の色を変えることにより、誘導が可能であるが、入退室管理システム利用者のように、利用が必ずしも高頻度でない多数の人にとっては、近づけばよいのか離れればよのか判断が難しい。すなわち、大まかな誘導を行う手段がないため、使用に慣れていない者にとって、正確に撮影すべき目を撮影光路上に位置させることが簡単ではない。
【００２５】
【発明が解決しようとする課題】
本発明は、上記事情に鑑みなされたもので、簡単な構成で、使用に慣れていない人でも的確に目画像の撮影ができる目画像撮像装置、及び目画像撮像装置を利用した入退室管理システムを提供することを目的とするものである。
【００２６】
【課題を解決するための手段】
本発明の目画像撮像装置は、少なくとも対物レンズと撮像部とを用いて人物の目の画像を撮影するものであって、前記目の画像を撮影する撮影光学系の光軸と同心に設けられた目印部と、可視光源からの可視光を、撮影光路の途中から前記対物レンズ側に誘導する導光部と、前記対物レンズの前面に配置された前記光軸と同心に可視光透過部を有する誘導ミラーとを有し、前記導光部は、前記目印部より前記撮像部側に位置し、前記導光部の中心が前記光軸と一致しており、前記導光部と前記目印部とが前記人物に見えるようになっているものである。このように構成すると、誘導ミラーによって概略の誘導を行うことができ、さらに対物レンズをのぞいたとき見える目印部と誘導可視光との位置関係により、目の移動方向を正確に把握できるため、使用に慣れていない者でも、短時間で正確に撮影すべき目を撮影光路上に位置させることができる。
【００２７】
本発明の目画像撮像装置は、さらに、前記対物レンズ下方部に配置された投受光式距離センサを含み、前記投受光式距離センサの出力は、撮影位置の光軸方向の誘導に利用されるものである。このように構成すると、撮影時の焦点合わせが簡単に行える。
【００２８】
本発明の目画像撮像装置における前記投受光式距離センサの投光部と受光部は、鉛直方向に配置されるものである。こうすると、被写体との距離を精度よく測定でき、撮影の焦点合わせの制度がさらに向上する。
【００２９】
本発明の目画像撮像装置における前記導光部は、前記対物レンズと前記撮像部の中間点よりも前記撮像部に近い位置に配置されるものである。こうすると、撮像していないもう片方の目から、前記導光部が見えてしまうことがなくなり、目の位置を合わせ易くなる。
【００３０】
本発明の目画像撮像装置における前記目印部は、前記撮影光路の一部を遮光する遮光部で構成したものである。こうすると、目印の視認が簡単になる。
【００３１】
本発明の目画像撮像装置における前記遮光部は、前記対物レンズの周辺部に環状に設けられるものである。
【００３２】
本発明の目画像撮像装置における前記遮光部は、前記対物レンズのレンズ押さえ又は前記誘導ミラーの前記可視光透過部によって形成されるものである。このように構成すると、前記遮光部を安価に製造できる。
【００３３】
本発明の目画像撮像装置における前記撮影光学系は、前記対物レンズと前記撮像部との間に光路屈曲ミラーを含み、前記導光部は、前記光路屈曲ミラーの前記光軸周辺に形成した可視光透過可能部を含むものである。このように構成すると、撮像装置がコンパクトに構成できる。
【００３４】
本発明の目画像撮像装置における前記導光部が誘導する可視光は、前記可視光透過可能部の後ろに配置された２色ＬＥＤから得られ、焦点が合っている場合と合っていない場合とで色が変化するものである。また、前記可視光は、さらに焦点が合っていない場合のずれ方向に応じて色が変化するものである。こうすると、焦点合わせの判断及び位置合わせのための移動が容易になる。
【００３５】
本発明の目画像撮像装置は、さらに、赤外光による照明手段と、可視光遮断フィルタを有し、前記照明手段は、被写体を照明し、前記可視光遮断フィルタは、前記可視光の誘導位置と前記撮像部との間に配置され、前記撮像部に導入される可視光を遮断するものである。このように構成すると、赤外光によって目画像が撮影でき、撮像素子に対する可視光の影響をなくすることができるため、高精度の画像を取得することができる。
【００３６】
本発明の入退室管理システムは、上記した目画像撮像装置を利用するものである。
【００３７】
【発明の実施の形態】
本発明の実施の形態について、図面を用いて説明する。図１は、本発明の実施の形態の目画像撮像装置の概略構成を示したものであり、図１（ａ）は正面図、図１（ｂ）はＡ−Ａ断面図である。図１の目画像撮像装置は、撮像ユニット１００、誘導ミラー２００、測距センサ３００、赤外照明部４００を含む。撮像ユニットは、対物レンズと撮像部とを用いて人物の目の画像を撮影するものであり、誘導ミラー２００は、被写体を撮影位置に誘導するものであり、測距センサ３００は、撮像装置と被写体との距離を測定するものであり、赤外照明部４００は、被写体を照明するものである。
【００３８】
撮像ユニット１００は、従来の技術で説明した既提案（特願２００１−２０９５５０）の目画像撮像装置をそのまま、あるいは一部変更して利用する。図１の例では、図１１に示した、目印部として環状遮光部を有するものを利用している。図１では、他の要素との位置関係を示すために対物レンズ１のみを記載し、他の要素の記載を省略してある。また、図１１の装置では、レンズ押さえ１３によって環状遮光部を構成したが、図１の撮像ユニット１００は、誘導ミラー２００を遮光部として利用する。
【００３９】
誘導ミラー２００は、撮像ユニット１００の対物レンズ１の前面に配置され、目画像の撮影を行おうとする利用者の大まかな誘導を行うためのものである。誘導ミラー２００は、撮影ユニット１００の撮影光路の光軸５と同心に可視光透過部２０１が形成される。したがって、可視光透過部２０１は、周囲に比較して暗く見え、眼を光軸５近傍に位置させると、可視光透過部２０１の中に誘導可視光を見ることができる。図１（ａ）は、目が正確に光軸上にあるときの状態を示している。
【００４０】
測距センサ３００は、対物レンズ１の下方部に設置され、対物レンズ１と被写体との距離を測定するものである。測距センサ３００は、投受光式の距離センサであり、光源３１１とレンズ３１２を含む投光部３１０と、レンズ３２１と受光素子３２２を含む受光部３２０を有する。光源３１１からの測定光は、水平方向より少し下方に傾けた方向に出力され、被測定体（被写体）に反射した反射光が受光素子３２２に入射される。したがって、図２（ａ）に示すように、被測定体の位置に応じて、受光素子３２２は、異なる位置で受光することになる。例えば、位置Ｍに被測定体が存在するときは、受光素子３２２の位置ｍで反射光を検出し、位置Ｎに被測定体が存在するときは、位置ｎで反射光を検出することになるので、受光素子の受光位置に応じて被測定体との距離を測定できる。
【００４１】
しかし、測距センサ３００の検出原理は、被測定体の反射面が一定であることを前提にしているので、被測定体の反射面が一定でないときは、検出精度が下がることになる。このことを図２（ｂ）を用いて説明する。被測定体の反射面がほぼ垂直であるとき（図ではＸの状態）を基準にすると、基準状態Ｘでは、受光素子３２２が位置ｍで反射光を検出するが、被測定体の反射面が傾いた状態（図ではＹの状態）では、受光素子３２２は位置ｎで反射光を検出することになり、位置Ｎに被測定体が存在するものと判断することになる。
【００４２】
したがって、測距センサ３００として投受光式距離センサを用いる場合、被測定体の反射面の傾きの変動を避ける必要がある。本発明では、人間の顔表面の中では、目の下方部頬の周辺の上下方向が傾きの変動が少ないことに注目し、測距センサ３００を対物レンズ１の下方に配置し、かつ投光部３１０と受光部３２０とを鉛直方向に配置して、検出精度の向上を図っている。
【００４３】
測距センサ３００の出力は、撮影位置の光軸方向の誘導、すなわち撮影の焦点合わせに利用される。撮像ユニット１００の対物レンズ１と撮像素子２との距離は一定であるので、撮影の焦点を合わせるためには対物レンズ１と被写体との距離を所定の値となるように誘導する。図１の誘導メッセージ表示部５０１、５０２は、測距センサ３００の検出値に応じて、利用者（被写体）の移動すべき方向を表示する。すなわち、焦点を合わせるために撮像装置から遠ざかる必要があるときは、誘導メッセージ表示部５０１が点灯し、近寄る必要があるときは誘導メッセージ表示部５０２が点灯する。
【００４４】
撮像ユニットの誘導可視光６を２色ＬＥＤで発光させる場合、焦点が合っている場合と合っていない場合とで色を変化させるとともに、焦点が合っていない場合、さらにずれ方向に応じて色を変化させて、移動方向を指示することができる。その場合、２色ＬＥＤのいずれか一方を点灯させる場合と両方を点灯させる場合の３状態の制御を行って、３色に変化させる。例えば、２色ＬＥＤが赤色と緑色である場合、赤、緑、橙の３色に変化させることができる。
【００４５】
図１の目画像撮像装置によって、目画像の撮影を行う場合、誘導ミラー２００の前面に立ち、目を撮影光路の光軸５の近傍に移動させる。誘導ミラー２００の可視光透過部２０１の中心は、光軸５に一致させており、可視光透過部２０１は、周囲に比較して暗く見えるので、容易に移動方向を認識できる。目が光軸近傍に移動すると、図５（ａ）に示すように誘導可視光６を認識できるので、誘導ミラー２００の可視光透過部２０１の中心に位置誘導可視光６が見えるようにさらに移動し、光軸と直交する面内での位置合わせを行う。
【００４６】
図１の目画像撮像装置は、同時に測距センサ３００を利用して対物レンズ１と被写体のの距離を測定し、焦点が合っているかどうかを判断する。焦点が合っていない場合、誘導メッセージ表示部５０１又は５０２を点灯させて、移動方向を指示する。利用者は、指示にしたがって光軸５方向の位置合わせを行う。焦点が合っているかどうか指示は、誘導可視光６の色によっても行うことができ、慣れれば、その色によって移動方向を認識できるようになる。
【００４７】
目画像撮像装置を入退室管理システムに利用する場合、入退管理する室の出入口近傍に上記した目画像撮像装置を配置して、入室又は退室する人の虹彩を撮影して、入退室を管理する。入室者及び退室者を特定して、管理する仕組みは、周知であるので、説明を省略する。
【００４８】
【発明の効果】
以上の説明から明らかなように、本発明によれば、誘導ミラーによって概略の誘導を行うことができ、さらに対物レンズをのぞいたとき見える目印部と誘導可視光との位置関係により、目の移動方向を正確に把握できるため、使用に慣れていない者でも、短時間で正確に撮影すべき目を撮影光路上に位置させることができる。
【図面の簡単な説明】
【図１】本発明の実施の形態の目画像撮像装置の概略構成を示す図
【図２】測距センサの動作を説明する図
【図３】従来の目画像撮像装置の一例の基本構成を示す図
【図４】既提案の目画像撮像装置の基本構成を示す図
【図５】図４の装置における遮光部と誘導可視光の見え方及び撮像素子による撮像画像の例を示す図
【図６】既提案の目画像撮像装置における導光部の位置を説明する図
【図７】遮光部を環状とした既提案の目画像撮像装置の基本構成を示す図
【図８】図７の装置における遮光部と誘導可視光の見え方及び撮像素子による撮像画像の例を示す図
【図９】既提案の目画像撮像装置の具体例の概略構成を示す図
【図１０】既提案の目画像撮像装置の他の具体例の概略構成を示す図
【図１１】既提案の目画像撮像装置のさらに別の具体例の概略構成を示す図
【符号の説明】
１００・・・撮像ユニット
２００・・・誘導ミラー
２０１・・・可視光透過部
３００・・・測距センサ
３１０・・・投光部
３１１・・・光源
３１２・・・レンズ
３２０・・・受光部
３２１・・・レンズ
３２２・・・受光素子
４００・・・赤外照明部
５０１、５０２・・・誘導メッセージ表示部
１・・・対物レンズ
２・・・撮像素子（ＣＣＤ）
３・・・遮光部
４・・・導光部
５・・・光軸
６・・・誘導可視光
７・・・撮像部
８・・・鏡筒
９・・・光ファイバ
１０・・・ＬＥＤ
１１・・・端面
１２・・・可視光遮断フィルタ
１３・・・レンズ押さえ
１４・・・光路屈曲ミラー
１５・・・反射膜
１６・・・透過部
１７・・・鏡筒
１８・・・レンズ押さえの開口
２１・・・ハーフミラー又はコールドミラー
【図１】
0004172930.tif 000002
【図２】
0004172930.tif 000003
【図３】
0004172930.tif 000004
【図４】
0004172930.tif 000005
【図５】
0004172930.tif 000006
【図６】
0004172930.tif 000007
【図７】
0004172930.tif 000008
【図８】
0004172930.tif 000009
【図９】
0004172930.tif 000010
【図１０】
0004172930.tif 000011
【図１１】
0004172930.tif 000012